(57)【要約】【課題】自らの移動速度に応じて撮影フレームレートを調整し、画質に優れた複数の画像をキャプチャする撮影フレームレート調整装置を提供する。【解決手段】撮影フレームレート調整装置は、処理ユニット１、移動速度センサユニット２、撮影フレームレート処理ユニット３及び撮像ユニット４を備える。移動速度センサユニット２は、処理ユニット１と電気的に接続されて処理ユニット１へ速度値を伝送する。撮影フレームレート処理ユニット３は、処理ユニット１と電気的に接続されるか処理ユニット１と整合されるとともに、速度値を受信すると、フレームレート値を処理ユニット１へ伝送する。撮像ユニット４は、処理ユニット１と電気的に接続されるとともに、フレームレート値を受信して該フレームレート値により複数の画像をキャプチャする。【選択図】図１
0003192550.tif 000002
【実用新案登録請求の範囲】
【請求項１】
処理ユニット、移動速度センサユニット、撮影フレームレート処理ユニット及び撮像ユニットを備える撮影フレームレート調整装置であって、
前記移動速度センサユニットが、前記処理ユニットと電気的に接続されて前記処理ユニットへ速度値を伝送し、
前記撮影フレームレート処理ユニットが、前記処理ユニットと電気的に接続されるか前記処理ユニットと整合されるとともに、速度値を受信すると、フレームレート値を前記処理ユニットへ伝送し、
前記撮像ユニットが、前記処理ユニットと電気的に接続されるとともに、フレームレート値を受信して該フレームレート値により複数の画像をキャプチャすることを特徴とする撮影フレームレート調整装置。
【請求項２】
前記移動速度センサユニットが、ＧＰＳ測位装置、画像変化処理装置又は車輪回転速度センサである請求項１に記載の撮影フレームレート調整装置。
【請求項３】
前記撮像ユニットの処理周波数が６０Ｈｚである場合、前記撮影フレームレート処理ユニットは、０〜２９、３０〜５９、６０〜１１９、１２０〜２３９及び２４０の速度値を受信し、単位をキロメートル／時間に変換した後、１５、３０、６０、１２０及び２４０のフレームレート値をそれぞれ伝送し、単位をフレーム／秒間に変換した後、前記処理ユニットへ伝送し、
前記撮像ユニットの処理周波数が５０Ｈｚである場合、前記撮影フレームレート処理ユニットは、０〜４９、５０〜９９、１００〜１９９、２００〜３９９及び４００の速度値を受信し、単位をキロメートル／時間に変換した後、２５、５０、１００、２００及び４００のフレームレート値をそれぞれ伝送し、単位をフレーム／秒間に変換した後、前記処理ユニットへ伝送する請求項１から２のいずれかに記載の撮影フレームレート調整装置。
【請求項４】
前記撮像ユニットが、前記処理ユニットと電気的に接続され、フレームレート値を受信した後、前記処理ユニットへ光感度値を伝送する光感度処理ユニットを有し、
前記撮像ユニットが、光感度値を受信し、該光感度値により複数の画像をキャプチャする請求項１から３のいずれかに記載の撮影フレームレート調整装置。
【請求項５】
前記処理ユニットと電気的に接続されたメモリユニット、制御ユニット、収音・再生ユニット及び給電ユニットを更に備える請求項１から４のいずれかに記載の撮影フレームレート調整装置。
【考案の詳細な説明】
【技術分野】
【０００１】
本考案は、撮影フレームレート調整装置に関し、特に、自らの移動速度に応じて撮影フレームレートを調整し、画質に優れた複数の画像をキャプチャする撮影フレームレート調整装置に関する。
【背景技術】
【０００２】
人々は、思い出を残すためにデジタルビデオカメラ（又はデジタルスチルカメラ）、ドライブレコーダなどを一般に使用するが、従来のデジタルビデオカメラ（又はデジタルスチルカメラ）及びドライブレコーダの撮影フレームレートは設定値が固定されていた。そのため、もし一般のデジタルビデオカメラ（若しくはデジタルスチルカメラ）又は一般のドライブレコーダが移動している状態にあるとき、一般のデジタルビデオカメラ（若しくはデジタルスチルカメラ）又は一般のドライブレコーダでは、複数の画像を高画質でキャプチャすることはできなかった。
したがって、自らの移動速度に応じて撮影フレームレートを調整し、複数の画像を高画質でキャプチャすることができる撮影フレームレート調整装置が求められていた。
【考案の概要】
【考案が解決しようとする課題】
【０００３】
本考案の目的は、自らの移動速度に応じて撮影フレームレートを調整し、複数の画像を高画質でキャプチャすることができる撮影フレームレート調整装置を提供することにある。
【課題を解決するための手段】
【０００４】
上記課題を解決するために、本考案の第１の形態によれば、処理ユニット、移動速度センサユニット、撮影フレームレート処理ユニット及び撮像ユニットを備える撮影フレームレート調整装置であって、前記移動速度センサユニットは、前記処理ユニットと電気的に接続されて前記処理ユニットへ速度値を伝送し、前記撮影フレームレート処理ユニットは、前記処理ユニットと電気的に接続されるか前記処理ユニットと整合されるとともに、速度値を受信すると、フレームレート値を前記処理ユニットへ伝送し、前記撮像ユニットは、前記処理ユニットと電気的に接続されるとともに、フレームレート値を受信して該フレームレート値により複数の画像をキャプチャする撮影フレームレート調整装置が提供される。
【０００５】
前記移動速度センサユニットは、ＧＰＳ測位装置、画像変化処理装置又は車輪回転速度センサであることが好ましい。
【０００６】
前記撮像ユニットの処理周波数が６０Ｈｚである場合、前記撮影フレームレート処理ユニットは、０〜２９、３０〜５９、６０〜１１９、１２０〜２３９及び２４０の速度値を受信し、単位をキロメートル／時間に変換した後、１５、３０、６０、１２０及び２４０のフレームレート値をそれぞれ伝送し、単位をフレーム／秒間に変換した後、前記処理ユニットへ伝送し、
前記撮像ユニットの処理周波数が５０Ｈｚである場合、前記撮影フレームレート処理ユニットは、０〜４９、５０〜９９、１００〜１９９、２００〜３９９及び４００の速度値を受信し、単位をキロメートル／時間に変換した後、２５、５０、１００、２００及び４００のフレームレート値をそれぞれ伝送し、単位をフレーム／秒間に変換した後、前記処理ユニットへ伝送することが好ましい。
【０００７】
前記撮像ユニットは、前記処理ユニットと電気的に接続され、フレームレート値を受信した後、前記処理ユニットへ光感度値を伝送する光感度処理ユニットを有し、前記撮像ユニットは、光感度値を受信し、該光感度値により複数の画像をキャプチャすることが好ましい。
【０００８】
前記処理ユニットと電気的に接続されたメモリユニット、制御ユニット、収音・再生ユニット及び給電ユニットを更に備えることが好ましい。
【考案の効果】
【０００９】
本考案の撮影フレームレート調整装置は、自らの移動速度に応じて撮影フレームレートを調整し、複数の画像を高画質でキャプチャすることができる。
【図面の簡単な説明】
【００１０】
【図１】図１は、本考案の一実施形態に係る撮影フレームレート調整装置を示すブロック図である。
【図２】図２は、本考案の一実施形態に係る撮影フレームレート調整装置の使用形態の例を概略的に示す図（１）である。
【図３】図３は、本考案の一実施形態に係る撮影フレームレート調整装置の使用形態の例を概略的に示す図（２）である。
【考案を実施するための形態】
【００１１】
以下、本考案の実施形態について図に基づいて説明する。なお、これによって本考案が限定されるものではない。
【００１２】
図１を参照する。図１は、本考案の一実施形態に係る撮影フレームレート調整装置を示すブロック図である。図１に示すように、本考案の一実施形態に係る撮影フレームレート調整装置は、少なくとも処理ユニット１、移動速度センサユニット２、撮影フレームレート処理ユニット３及び撮像ユニット４から構成される。
処理ユニット１は、外部デバイスのデータを受信し、データを計算処理した後、元の外部デバイス又はその他の外部デバイスへ伝送する中央処理装置でもよい。
移動速度センサユニット２は、処理ユニット１と電気的に接続された速度センサ又は速度センサ回路でもよい。移動速度センサユニット２は、本考案の撮影フレームレート調整装置の移動速度を計測した後、処理ユニット１へ速度値を伝送する。この速度値の単位はキロメートル／時間である。
撮影フレームレート処理ユニット３は、処理ユニット１と電気的に接続されるか処理ユニット１と整合される処理回路又は処理プログラムでもよい。撮影フレームレート処理ユニット３は、処理ユニット１により速度値を受信し、計算処理した後に処理ユニット１へフレームレートを伝送する。フレームレートの単位は、キロメートル／時間の単位である速度値に対応したフレーム／秒間でもよく、速度値が大きくなるほどフレームレートも大きくなり、低速のときにはフレームレートが固定値となる。速度値は、フレームレートの単位であるフレーム／秒間に対応したその他の単位でもよい。フレームレート値と速度値とは、その他比例定数に対応してもよい。
撮像ユニット４は、処理ユニット１と電気的に接続されたＣＣＤ（Ｃｈａｒｇｅ  Ｃｏｕｐｌｅｄ  Ｄｅｖｉｃｅ）又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）でもよい。撮像ユニット４は、処理ユニット１によりフレームレート値を受信し、このフレームレート値により複数の画像をキャプチャした後、これら複数の画像が処理ユニット１により計算処理されて画像が形成される。
【００１３】
上述したことから分かるように、本考案の一実施形態に係る撮影フレームレート調整装置は、自らの移動速度値を移動速度センサユニット２により計測した後、撮影フレームレート処理ユニット３により速度値に対応したフレームレート値を計算処理し、その後、撮像ユニット４によりフレームレート値に基づいて複数の画像をキャプチャする。
上述したことから分かるように、本実施形態の撮影フレームレート調整装置は、自らの移動速度に応じて撮影フレームレートが正確になるように調整し、画質に優れた画像を複数キャプチャすることができる。
【００１４】
図１を参照する。図１に示すように、上述の撮影フレームレート調整装置の移動速度センサユニット２は、ＧＰＳ測位装置、画像変化処理装置又は車輪回転速度センサでもよい。
ＧＰＳ測位装置は、特定の時間区間において本考案の撮影フレームレート調整装置により時間区間初の位置及び時間区間末の位置を測位し、これらの位置に基づいて移動距離を計算した後、移動距離を時間区間で除算して撮影フレームレート調整装置の移動速度を計算し、処理ユニット１へ速度値を伝送する。
画像変化処理装置は、撮像ユニットの特定の時間区間内でキャプチャした映像から特定オブジェクトの位置変化を計算し、位置変化から特定オブジェクトの移動距離を計算した後、移動距離を時間区間で除算して撮影フレームレート調整装置の移動速度を計算し、速度値を処理ユニット１へ伝送する。
車輪回転速度センサは、車輪構造上に配設され、有線方式又は無線方式により処理ユニット１と電気的に接続されている。車輪回転速度センサが計測する単位は回転／分間（ｒｐｍ）の回転速度値であり、その後、回転速度値を車輪の円周長さ（単位はメートルである）で乗算した後に０．０６で乗算し、単位がキロメートル／時間である速度値を計算し、その後、その速度値を処理ユニット１へ伝送する。本実施形態の撮影フレームレート調整装置には、必要に応じて適宜な移動速度センサユニット２を組み合わせてもよい。
【００１５】
図１を参照する。図１に示すように、本実施形態に係る撮影フレームレート調整装置の撮像ユニット４の処理周波数が６０Ｈｚである場合、撮影フレームレート処理ユニット３が受信する速度値は０〜２９、３０〜５９、６０〜１１９、１２０〜２３９及び２４０であり、単位をキロメートル／時間に変換した後、１５、３０、６０、１２０及び２４０のフレームレート値をそれぞれ伝送し、単位をフレーム／秒間に変換した後に処理ユニット１へ伝送する。
撮像ユニット４の処理周波数が５０Ｈｚである場合、撮影フレームレート処理ユニット３は、速度値０〜４９、５０〜９９、１００〜１９９、２００〜３９９及び４００を受信し、単位をキロメートル／時間に変換した後に２５、５０、１００、２００及び４００のフレームレート値をそれぞれ伝送し、単位をフレーム／秒間に変換した後に処理ユニット１へ伝送する。
このように本考案の撮影フレームレート調整装置は、自らの移動速度に対応して正確なフレームレート値を計算し、画質に優れた複数の画像を撮像ユニット４によりキャプチャすることができる。
【００１６】
図１を参照する。図１に示すように、本考案の一実施形態に係る撮影フレームレート調整装置の撮像ユニット４は、光感度処理ユニット５を有する。
光感度処理ユニット５は、処理ユニット１と電気的に接続された光感度処理装置、光感度処理回路又は光感度処理プログラムでもよい。光感度処理ユニット５は、処理ユニット１によりフレームレートを受信して計算処理した後、処理ユニット１へ光感度値を伝送する。フレームレート値が大きいほど露光時間は短くなる（例えば、フレームレート値が３０フレーム／秒間であるとき、露光時間は１／３０秒間であり、フレームレート値が６０フレーム／秒間であるとき、露光時間は１／６０秒間である）。光感度値が大きくなるほど、撮像ユニット４は、処理ユニット１により光感度値を受信し、光感度値により複数の画像をキャプチャする。
このように本考案の撮影フレームレート調整装置は、フレームレート値に応じて調整した正確な光感度値を得て、撮像ユニット４により画質に優れた複数の画像をキャプチャすることができる。
【００１７】
図１を参照する。図１に示すように、上述の撮影フレームレート調整装置の光感度処理ユニット５は、フレームレート値を受信し、単位がフレーム／秒間であり、環境輝度及び露光に応じて５０〜６，４００又はそれより低いか高い光感度値を伝送し、単位ＡＳＡを処理ユニット１へ伝送する。このように本実施形態の撮影フレームレート調整装置は、フレームレート値、環境輝度及び露光に応じて正確な光感度値を得て、撮像ユニット４により画質に優れた複数の画像をキャプチャすることができる。
【００１８】
図２及び図３を参照する。図２は、本考案の一実施形態に係る撮影フレームレート調整装置の使用形態の例を概略的に示す図（１）である。図３は、本考案の一実施形態に係る撮影フレームレート調整装置の使用形態の例を概略的に示す図（２）である。
図２及び図３に示すように、本考案の一実施形態に係る撮影フレームレート調整装置は、ドライブレコーダ１０又はデジタルビデオカメラ１１（又はデジタルスチルカメラ）に応用することが可能である。ドライブレコーダ１０は、自動車に設置することが可能であり、デジタルビデオカメラ１１（又はデジタルスチルカメラ）は、自転車、自動二輪車又はその他移動する物体に設置することが可能である。
本実施形態の撮影フレームレート調整装置は、処理ユニット１と電気的に接続されたメモリユニット６、制御ユニット８、収音・再生ユニット７及び給電ユニット９を含む。
メモリユニット６は、速度値、フレームレート値、光感度値、複数の画像、複数の映像又はその他データなどを記憶するために用いるメモリ、ハードディスク、メモリカード又はフラッシュディスクでもよい。
制御ユニット８は、本考案の撮影フレームレート調整装置、ドライブレコーダ１０又はデジタルビデオカメラ１１（又はデジタルスチルカメラ）の電源スイッチ及び他の機能を制御又は設定する複数の物理的ボタン、複数の物理的スイッチ、又は（処理ユニット１と電気的に接続された）液晶表示装置上の複数のバーチャルボタンでもよい。
収音・再生ユニット７はマイクロフォン又はスピーカーでもよい。マイクロフォンは、受け取った音声を音声データへ変換して処理ユニット１へ伝送し、メモリユニット６に記憶させる。スピーカーは、メモリユニット６及び処理ユニット１により音声データを受け取り、音声へ変換して出力する。
給電ユニット９は、内部電源（例えば、電池）又は外部電源（例えば、自動車のタバコ用着火装置）でもよい。給電ユニット９は、筐体中に配置された部品に必要な電力を供給するために用いる。
【００１９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２０】
１      処理ユニット
２      移動速度センサユニット
３      撮影フレームレート処理ユニット
４      撮像ユニット
５      光感度処理ユニット
６      メモリユニット
７      収音・再生ユニット
８      制御ユニット
９      給電ユニット
１０      ドライブレコーダ
１１      デジタルビデオカメラ
【図１】
0003192550.tif 000003
【図２】
0003192550.tif 000004
【図３】
0003192550.tif 000005